(57)【要約】【課題】過給機２５が搭載されるとともに過給機２５のタービン２５ｂをバイパスするウェイストゲート通路２６にウェイストゲートバルブ２７が設けられる多気筒型内燃機関１の異常検出装置において、ウェイストゲートバルブ２７の動作異常と、気筒間空燃比ばらつきの異常とを区別可能とする。【解決手段】異常検出装置は、ウェイストゲートバルブ２７の動作異常の有無を判定し、異常無しであると判定した場合にウェイストゲートバルブ２７を閉状態にして気筒間空燃比ばらつきの異常の有無を判定する。【選択図】図３
2014181650.tif 000002
【特許請求の範囲】
【請求項１】
過給機が搭載されるとともに前記過給機のタービンをバイパスするウェイストゲート通路にウェイストゲートバルブが設けられる多気筒型内燃機関の異常検出装置であって、
前記ウェイストゲートバルブの動作異常の有無を判定し、異常無しであると判定した場合に前記ウェイストゲートバルブを閉状態にして気筒間空燃比ばらつきの異常の有無を判定する、ことを特徴とする多気筒型内燃機関の異常検出装置。
【請求項２】
請求項１に記載の多気筒型内燃機関の異常検出装置において、
前記ウェイストゲートバルブの動作異常の有無判定は、前記ウェイストゲートバルブの目標開度を所定以下にする条件が成立したときをトリガーとして実行する、ことを特徴とする多気筒型内燃機関の異常検出装置。
【請求項３】
請求項１または２に記載の多気筒型内燃機関の異常検出装置において、
前記気筒間空燃比ばらつきの異常有無判定は、排気通路において前記過給機のタービンよりも下流位置に設置される空燃比センサの出力に基づいて行う、ことを特徴とする多気筒型内燃機関の異常検出装置。
【請求項４】
請求項２に記載の多気筒型内燃機関の異常検出装置において、
前記条件成立時には、前記ウェイストゲートバルブを強制的に全閉にする処理を行い、その後、吸気通路において前記過給機のコンプレッサよりも下流位置での過給圧の推定値と実測値とを比較することにより前記ウェイストゲートバルブの動作異常の有無を判定する、ことを特徴とする多気筒型内燃機関の異常検出装置。
【発明の詳細な説明】
【技術分野】
【０００１】
本発明は、過給機が搭載されるとともに前記過給機のタービンをバイパスするウェイストゲート通路にウェイストゲートバルブが設けられる多気筒型内燃機関の異常検出装置に関する。
【背景技術】
【０００２】
過給機が搭載されるとともに前記過給機のタービンをバイパスするウェイストゲート通路にウェイストゲートバルブが設けられる多気筒型内燃機関では、例えば一部の気筒の燃料噴射量や吸入空気量の制御異常が発生している場合などに、気筒間で空燃比がばらつくことがある。
【０００３】
このような気筒間の空燃比ばらつきが大きい場合には空燃比フィードバック制御で吸収できなくなるので、排気エミッションの増大につながる可能性が高くなる。これを「気筒間空燃比ばらつき異常」と言う。
【０００４】
例えば特許文献１では、ウェイストゲートバルブが開弁しているときに過給機のタービン下流側の空燃比センサの出力に基づいて気筒間空燃比ばらつき異常の有無を判定するようにしている。
【先行技術文献】
【特許文献】
【０００５】
【特許文献１】特開２０１１−１８５１５９号公報
【発明の概要】
【発明が解決しようとする課題】
【０００６】
上記特許文献１では、仮にウェイストゲートバルブの動作異常が発生していて、狙った開度にできていない場合に、気筒間空燃比ばらつきの異常が発生していると判定した場合であっても、その原因が、前記ウェイストゲートバルブの動作異常であるのか、燃料噴射量や吸入空気量の制御異常であるのかを区別することができない。
【０００７】
このような事情に鑑み、本発明は、過給機が搭載されるとともに前記過給機のタービンをバイパスするウェイストゲート通路にウェイストゲートバルブが設けられる多気筒型内燃機関の異常検出装置において、前記ウェイストゲートバルブの動作異常と、気筒間空燃比ばらつきの異常とを区別可能とすることを目的としている。
【課題を解決するための手段】
【０００８】
本発明は、過給機が搭載されるとともに前記過給機のタービンをバイパスするウェイストゲート通路にウェイストゲートバルブが設けられる多気筒型内燃機関の異常検出装置であって、前記ウェイストゲートバルブの動作異常の有無を判定し、異常無しであると判定した場合に前記ウェイストゲートバルブを閉状態にして気筒間空燃比ばらつきの異常の有無を判定する、ことを特徴としている。
【０００９】
この構成では、前記ウェイストゲートバルブの動作が正常である場合に前記ウェイストゲートバルブを閉状態にして前記気筒間空燃比ばらつきの異常を調べるようにしているから、仮に前記気筒間空燃比ばらつきが異常であると判定すると、当該異常判定の原因が前記ウェイストゲートバルブの動作異常ではないことが明らかになる。
【００１０】
これにより、前記ウェイストゲートバルブの動作異常と、前記気筒間空燃比ばらつきの異常とを区別して調べることが可能になる。
【００１１】
好ましくは、前記ウェイストゲートバルブの動作異常の有無判定は、前記ウェイストゲートバルブの目標開度を所定以下にする条件が成立したときをトリガーとして実行する、形態とすることができる。
【００１２】
ここでは、前記ウェイストゲートバルブの動作異常の有無判定の実行条件を特定している。この特定により、仮に前記目標開度を全閉にする条件が成立したときをトリガーとする場合に比べると、前記ウェイストゲートバルブの動作異常の有無判定を行う頻度が高くなり、ひいては前記気筒間空燃比ばらつきの異常有無判定を行う頻度が高くなる。
【００１３】
好ましくは、前記気筒間空燃比ばらつきの異常有無判定は、排気通路において前記過給機のタービンよりも下流位置に設置される空燃比センサの出力に基づいて行う、形態とすることができる。
【００１４】
ここでは、前記多気筒型内燃機関の気筒間空燃比ばらつきの異常有無判定の形態を特定している。これにより、実施形態の構成が明らかになる。
【００１５】
好ましくは、前記条件成立時には、前記ウェイストゲートバルブを強制的に全閉にする処理を行い、その後、吸気通路において前記過給機のコンプレッサよりも下流位置での過給圧の推定値と実測値とを比較することにより前記ウェイストゲートバルブの動作異常の有無を判定する、形態とすることができる。
【００１６】
ここでは、前記ウェイストゲートバルブの動作異常の有無判定の形態を特定している。これにより、実施形態の構成が明らかになる。
【００１７】
好ましくは、本発明に係る多気筒型内燃機関の異常検出装置は、前記ウェイストゲートバルブの目標開度を所定以下にする条件が成立したか否かを判定する条件成立判定部と、この条件成立判定部で条件が成立したと判定したときに前記ウェイストゲートバルブの動作異常の有無を判定する第１異常判定部と、この第１異常判定部で異常無しと判定したときに気筒間空燃比ばらつきの異常の有無を判定する第２異常判定部とを含み、前記第１異常判定部は、前記ウェイストゲートバルブを強制的に全閉する処理を行った後、吸気通路において前記過給機のコンプレッサよりも下流位置での過給圧の推定値と実測値とを比較することにより前記ウェイストゲートバルブの動作異常の有無を判定し、前記第２異常判定部は、排気通路において前記過給機のタービンよりも下流位置に設置される空燃比センサの出力に基づいて気筒間空燃比ばらつき異常の有無を判定する、ことを特徴とする構成とすることができる。
【発明の効果】
【００１８】
本発明は、過給機が搭載されるとともに前記過給機のタービンをバイパスするウェイストゲート通路にウェイストゲートバルブが設けられる多気筒型内燃機関の異常検出装置において、前記ウェイストゲートバルブの動作異常と、気筒間空燃比ばらつきの異常とを区別することが可能になる。
【図面の簡単な説明】
【００１９】
【図１】本発明の適用対象となる多気筒型内燃機関の一実施形態の概略構成を示す図である。
【図２】図１の制御装置の概略構成を示すブロック図である。
【図３】図１の制御装置の動作を説明するためのフローチャートである。
【図４】図１の触媒前センサおよび触媒後センサの出力特性を示すグラフである。
【図５】図１の触媒前センサ（空燃比センサ）の大気圧に応じた出力の変動を示すグラフである。
【図６】図５のIV部に相当する拡大図である。
【発明を実施するための形態】
【００２０】
以下、本発明を実施するための最良の実施形態について添付図面を参照して詳細に説明する。
【００２１】
図１から図６に、本発明の一実施形態を示している。図中、１は自動車などに搭載される多気筒型内燃機関（以下、単に内燃機関と称することがある）である。
【００２２】
この実施形態での内燃機関１は、直列４気筒の火花点火式内燃機関（ガソリンエンジン）である。但し、本発明が適用可能な多気筒型内燃機関は前記したようなものに限られるものではなく、ディーゼルエンジンであってもよく、また、気筒数や、内燃機関の型式（Ｖ型、水平対向型）等は特に限定されない。
【００２３】
具体的に、内燃機関（エンジン）１は、シリンダブロック２に形成された燃焼室３の内部で燃料および空気の混合気を燃焼させ、燃焼室３内でピストンを往復移動させることにより動力を発生する。
【００２４】
内燃機関１のシリンダヘッドには、詳細に図示していないが、吸気ポートを開閉する吸気弁と、排気ポートを開閉する排気弁とが気筒ごとに配設されており、各吸気弁および各排気弁はカムシャフト又はソレノイドアクチュエータによって開閉させられる。シリンダヘッドの頂部には、燃焼室３内の混合気を点火するための点火プラグが気筒ごとに取り付けられている。
【００２５】
各気筒の吸気ポートは、気筒毎の枝管４を介して、吸気集合室であるサージタンク８に接続されている。サージタンク８の上流側には、吸気管１３が接続されている。この吸気管１３は、過給機２５のコンプレッサ２５ａの出口に連結されている。
【００２６】
コンプレッサ２５ａの入口は、エアクリーナ９に連結されている。吸気管１３には、吸入空気量（単位時間当たりの吸入空気の量すなわち吸気流量）を検出するためのエアフローメータ５と、電子制御式のスロットルバルブ１０とが組み込まれている。吸気ポート、枝管４、サージタンク８及び吸気管１３により吸気通路が形成される。
【００２７】
吸気管１３の周りには、吸気管１３内を流れる吸入空気を冷却するためのインタークーラ１１が配置されている。インタークーラ１１は、吸入空気を内燃機関１の冷却水で冷却するようになっている。
【００２８】
過給機２５のコンプレッサ２５ａをバイパスするように、エアバイパス通路２０、及びこれを開閉する電子制御式のエアバイパスバルブ（以下、ＡＢＶと略称する)２１が設置されている。このＡＢＶ２１は、スロットルバルブ１０が急閉された場合に、スロットルバルブ１０の上流側の圧力が一時的に急上昇するのを防止し、ひいては過給機２５からのサージ音の発生を防止する。
【００２９】
吸気通路、特に吸気ポート内に燃料を噴射するインジェクタ（燃料噴射弁）１２が、気筒ごとに配設される。インジェクタ１２から噴射された燃料は吸入空気と混合されて混合気をなし、この混合気が吸気弁の開弁時に燃焼室３に吸入され、ピストンで圧縮され、点火プラグ７で点火燃焼させられる。
【００３０】
一方、各気筒の排気ポートは、排気マニホールド１４に接続される。排気マニホールド１４は、その上流部をなす気筒毎の枝管と、その下流部をなす排気集合部とからなる。排気集合部の下流側は、過給機２５のタービン２５ｂの入口に連結されている。タービン２５ｂの出口は、排気管６に接続されている。排気ポート、排気マニホールド１４及び排気管６により排気通路が形成される。
【００３１】
そして、排気管６には、過給機２５のタービン２５ｂをバイパスするように、ウェイストゲート通路２６、及びこれを開閉する電子制御式のウェイストゲートバルブ（以下、ＷＧＶと略称する）２７が設置されている。
【００３２】
ＷＧＶ２７は、詳細に図示していないが、モータ及び歯車機構によって弁体を駆動するように構成されており、歯車機構にはその回転位置を検出することで弁体の開度を検出するためのＷＧＶ開度センサ２８が設けられている。なお、ＷＧＶ２７は、過給圧又は吸気管圧力によって制御されるダイヤフラム式のものであってもよい。
【００３３】
排気管６には、それぞれ三元触媒からなる触媒、すなわち上流触媒３１と下流触媒３２が直列に取り付けられている。これら上流触媒３１及び下流触媒３２は、例えばアルミナに、白金（Ｐｔ）、パラジウム（Ｐｈ）あるいはロジウム（Ｒｄ）などの貴金属を担持させたものであり、一酸化炭素（ＣＯ）、炭化水素（ＨＣ）及び窒素酸化物（ＮＯｘ）等をまとめて触媒反応により浄化できる。
【００３４】
上流触媒３１の排気流れ方向上流側及び下流側に、それぞれ排気ガスの空燃比を検出するための触媒前センサ３３及び触媒後センサ３４が設置されている。これら触媒前センサ３３及び触媒後センサ３４は、上流触媒３１の直前及び直後の位置に設置され、排気中の酸素濃度に基づいて空燃比を検出する。
【００３５】
上述の点火プラグ７、スロットルバルブ１０、インジェクタ１２、ＡＢＶ２１及びＷＧＶ２７等の動作は、制御装置１００により制御される。
【００３６】
制御装置１００は、図２に示すように、一般に公知のエレクトロニックコントロールユニット（ＥＣＵ）とされており、ＣＰＵ１０１、ＲＯＭ１０２、ＲＡＭ１０３及びバックアップＲＡＭ１０４などを備えている。この制御装置１００が特許請求の範囲に記載しているいろいろな機能を実現する。
【００３７】
ＲＯＭ１０２には、エンジン１の制御プログラムを記憶している他、ＷＧＶ２７の動作異常ならびに気筒間空燃比ばらつき異常を検出するための制御プログラムが記憶されている。この制御プログラムの具体的な内容については後で説明する。
【００３８】
ＣＰＵ１０１は、ＲＯＭ１０２に記憶された前記プログラムやマップに基づいて演算処理を実行する。また、ＲＡＭ１０３はＣＰＵ１０１での演算結果や各センサから入力されたデータ等を一時的に記憶するメモリであり、バックアップＲＡＭ１０４はエンジン１の停止時にその保存すべきデータ等を記憶する不揮発性のメモリである。
【００３９】
これらＣＰＵ１０１、ＲＯＭ１０２、ＲＡＭ１０３ならびにバックアップＲＡＭ１０４はバス１０６を介して互いに接続されているとともに、インターフェース１０５と接続されている。
【００４０】
インターフェース１０５には、図２に示すように、エアフローメータ５、アクセル開度センサ１５、内燃機関１のクランク角を検出するクランク角センサ１６、内燃機関１の冷却水の温度を検出する水温センサ２２、過給圧センサ２３、ＷＧＶ開度センサ２８、触媒前センサ３３、触媒後センサ３４などが、図示されないＡ／Ｄ変換器等を介して電気的に接続されている。なお、この実施形態では、本発明の特徴に関係しているセンサのみを記載している。
【００４１】
制御装置１００は、少なくとも点火プラグ７、スロットルバルブ１０、インジェクタ１２等の駆動系を制御することにより、点火時期、スロットル開度、燃料噴射量、燃料噴射時期等を制御する。なお、スロットル開度は通常アクセル開度に応じた開度に制御される。また、制御装置１００はＡＢＶ２１及びＷＧＶ２７を制御することにより、吸気及び排気を必要に応じてバイパスさせる。
【００４２】
触媒前センサ３３は、「広域空燃比センサ」からなり、比較的広範囲に亘る空燃比を連続的に検出可能である。触媒後センサ３４は、「Ｏ2センサ」からなり、ストイキを境に出力値が急変する特性を持つ。
【００４３】
図４に触媒前センサ３３およびを触媒後センサ３４の出力特性を示している。図示するように、触媒前センサ３３は、検出した排気空燃比（触媒前空燃比Ａ／Ｆｆ）に比例した大きさの電圧信号Ｖｆを出力する。排気空燃比がストイキ（理論空燃比、例えばＡ／Ｆ＝１４．６）であるときの出力電圧はＶｒｅｆｆ（例えば約３．３Ｖ）である。
【００４４】
また、図４に示すように、排気空燃比（触媒後空燃比Ａ／Ｆｒ）がストイキであるときの出力電圧、すなわちストイキ相当値はＶｒｅｆｒ（例えば０．４５Ｖ）である。触媒後センサ３４の出力電圧は、所定の範囲（例えば０〜１Ｖ）内で変化する。排気空燃比がストイキよりリーンのとき、触媒後センサ３４の出力電圧はストイキ相当値Ｖｒｅｆｒより低くなり、排気空燃比がストイキよりリッチのとき、触媒後センサ３４の出力電圧はストイキ相当値Ｖｒｅｆｒより高くなる。
【００４５】
上流触媒３１及び下流触媒３２は、それぞれに流入する排気ガスの空燃比Ａ／Ｆがストイキ近傍のときにＮＯｘ、ＨＣおよびＣＯを同時に浄化するが、この三者を同時に高効率で浄化できる空燃比の幅（ウィンドウ）は比較的狭い。
【００４６】
上流触媒３１に流入する排気ガスの空燃比がストイキ近傍に制御されるように、空燃比制御（ストイキ制御）が制御装置１００により実行される。この空燃比制御は、触媒前センサ３３によって検出された排気空燃比を所定の目標空燃比であるストイキに一致させるような主空燃比制御（主空燃比フィードバック制御）と、触媒後センサ３４によって検出された排気空燃比をストイキに一致させるような補助空燃比制御（補助空燃比フィードバック制御）とからなる。
【００４７】
さて、例えば全気筒のうちの一部の気筒のインジェクタ１２が故障し、気筒間に空燃比のばらつき（インバランス：imbalance）が発生したとする。例えば＃１気筒が他の＃２、＃３及び＃４気筒よりも燃料噴射量が多くなり、その空燃比が大きくリッチ側にずれる場合等である。このときでも前述の主空燃比フィードバック制御により比較的大きな補正量を与えれば、触媒前センサ３３に供給されるトータルガスの空燃比をストイキに制御できる場合がある。しかし、気筒別に見ると、＃１気筒がストイキより大きくリッチ、＃２、＃３及び＃４気筒がストイキよりリーンであり、全体のバランスとしてストイキとなっているに過ぎず、エミッション上好ましくないことは明らかである。
【００４８】
そこで、この実施形態では、制御装置１００に前記気筒間空燃比ばらつきの異常を検出する機能を装備させるようにしている。つまり、制御装置１００が、本発明に係る多気筒型内燃機関の異常検出装置として機能するようになっている。
【００４９】
この気筒間空燃比ばらつき異常の検出形態を以下で説明する。
【００５０】
図５に示すように、触媒前センサ３３によって検出される排気空燃比Ａ／Ｆは、１エンジンサイクル（＝７２０°ＣＡ）を１周期として周期的に変動する傾向にある。そして気筒間空燃比ばらつきが発生すると、１エンジンサイクル内での変動が大きくなる。
【００５１】
図５の（Ｂ）において、空燃比線ａはＷＧＶ２７を閉じている場合、空燃比線ｂはＷＧＶ２７を開いている場合をそれぞれ示している。
【００５２】
ここで、インバランス割合（％）とは、気筒間空燃比のばらつき度合いを表すパラメータである。即ち、インバランス割合とは、全気筒のうちある１気筒のみが燃料噴射量ズレを起こしている場合に、その燃料噴射量ズレを起こしている気筒（インバランス気筒）の燃料噴射量がどれくらいの割合で、燃料噴射量ズレを起こしていない気筒（バランス気筒）の燃料噴射量即ち基準噴射量からズレているかを示す値である。
【００５３】
インバランス割合をＩＢ、インバランス気筒の燃料噴射量をＱｉｂ、バランス気筒の燃料噴射量即ち基準噴射量をＱｓとすると、ＩＢ＝（Ｑｉｂ−Ｑｓ）／Ｑｓで表される。インバランス割合ＩＢが大きいほど、インバランス気筒のバランス気筒に対する燃料噴射量ズレが大きく、空燃比ばらつき度合いは大きい。
【００５４】
上記の説明から理解できるように、空燃比ばらつき異常が発生すると触媒前センサ３３の出力の変動が大きくなる。そこで、この変動度合いをモニタすれば、空燃比ばらつき異常を検出することが可能になる。この実施形態では、触媒前センサ３３の出力の変動度合いに相関するパラメータである変動パラメータを算出すると共に、この変動パラメータを所定の異常判定値と比較してばらつき異常を検出する。
【００５５】
ここで、変動パラメータの算出方法を説明する。図６は、図５のIV部に相当する拡大図
であり、特に、１エンジンサイクル内の触媒前センサ３３の出力の変動を示す。ここで、触媒前センサ３３の出力としては、触媒前センサ３３の出力電圧Ｖｆを空燃比Ａ／Ｆに換算した値を用いる。但し、触媒前センサ３３の出力電圧Ｖｆを直接用いることも可能である。
【００５６】
図６の（Ｂ）に示すように、制御装置１００は、１エンジンサイクル内において、所定のサンプル周期τ（単位時間、例えば４ｍｓ）毎に、触媒前センサ３３の出力Ａ／Ｆの値を取得する。そして、今回のタイミング（第２のタイミング）で取得した値Ａ／Ｆnと、前回のタイミング（第１のタイミング）で取得した値Ａ／Ｆn-1との差ΔＡ／Ｆnを、次式（１）により求める。この差ΔＡ／Ｆnは、今回のタイミングにおける微分値あるいは傾きと言い換えることができる。
【００５７】
ΔＡ／Ｆn＝Ａ／Ｆn−Ａ／Ｆn-1・・・（１）
最も単純には、この差ΔＡ／Ｆnが触媒前センサ３３の出力の変動を表す。変動度合いが大きくなるほど空燃比線図の傾きが絶対値で大きくなり、差ΔＡ／Ｆnが絶対値で大きくなるからである。そこで、所定の１タイミングにおける差ΔＡ／Ｆnの値を変動パラメータとすることができる。
【００５８】
但し、本実施形態では、精度向上のため、複数の差ΔＡ／Ｆnの平均値を変動パラメータとする。本実施形態では、１エンジンサイクル内において、各タイミング毎に差ΔＡ／Ｆnを積算し、最終積算値をサンプル数Ｎで除し、１エンジンサイクル内の差ΔＡ／Ｆnの平均値を求める。そして、さらに、Ｍエンジンサイクル分（例えばＭ＝１００）だけ差ΔＡ／Ｆnの平均値を積算し、最終積算値をサイクル数Ｍで除し、Ｍエンジンサイクル内の差ΔＡ／Ｆnの平均値を求める。
【００５９】
触媒前センサ３３の出力の変動度合いが大きいほど、Ｍエンジンサイクル内の差ΔＡ／Ｆnの平均値も絶対値で大きくなる。そこで、当該平均値が絶対値で所定の異常判定値以上であれば、ばらつき異常ありと判定され、当該平均値が異常判定値より小さければばらつき異常なし、即ち正常と判定される。
【００６０】
なお、触媒前センサ３３の出力Ａ／Ｆは増加する場合と減少する場合とがあるので、これら各場合の一方についてだけ上記差ΔＡ／Ｆnあるいはその平均値を求め、これを変動パラメータとすることができる。
【００６１】
特に、１気筒のみリッチずれの場合、当該１気筒に対応した排気ガスを触媒前センサ３３が受けた時にその出力が急速にリッチ側に変化（すなわち急減）するので、減少側のみの値をリッチずれ検出のために用いることも可能である（リッチインバランス判定）。この場合には、図６の（Ｂ）で示すグラフにおける右下がりの領域のみを、リッチずれ検出のために利用することになる。一般に、リーンからリッチへの移行は、リッチからリーンへの移行よりも急峻に行われる場合が多いため、この方法によればリッチずれを精度よく検出することが期待できる。もっとも、これに限定されず、増加側の値のみを用いること、あるいは、減少側と増加側の双方の値を用いる（差ΔＡ／Ｆnの絶対値を積算し、この積算値をしきい値と比較することで）ことも可能である。
【００６２】
また、触媒前センサ３３の出力の変動度合いに相関する如何なる値をも変動パラメータとすることができる。例えば、１エンジンサイクル内の触媒前センサ３３の出力の最大値と最小値の差（ピークトゥピーク; peak to peak）に基づいて、変動パラメータを算出することもできる。触媒前センサ３３の出力の変動度合いが大きいほど当該差も大きくなるからである。
【００６３】
次に、図３のフローチャートを参照して、制御装置１００による制御を詳細に説明する。このフローチャートは、内燃機関１が始動されることに伴い開始される。
【００６４】
まず、ステップＳ１では、ＷＧＶ２７の動作異常の検出を行うのに適した条件が成立しているか否かを判定する。この条件としては、運転者によりアクセル開度が所定以上とされた場合のように車両の加速が要求されている場合とされる。ここでの加速要求とは、過給圧を高めるために、ＷＧＶ２７の目標開度を所定以下にする要求があることと言い換えることができる。そのため、このステップＳ１では、要求されるアクセル開度が所定以上あるいはＷＧＶ２７の目標開度が所定以下であるか否かを調べている。
【００６５】
ここで、前記条件が成立していないと判定した場合には前記ステップＳ１で否定判定して、このフローチャートを終了する。一方、前記条件が成立していると判定した場合には前記ステップＳ１で肯定判定して、続くステップＳ２に移行する。
【００６６】
このステップＳ２では、ＷＧＶ２７を強制的に全閉させるように駆動し、その後、下記するステップＳ３，Ｓ４において、ＷＧＶ２７の動作異常の有無を判定する。
【００６７】
具体的に、ステップＳ３では、前記ステップＳ２の処理の実行に伴い吸気管１３において過給機２５のコンプレッサ２５ａよりも下流位置での過給圧を推定するとともに、当該下流位置での実際の過給圧を過給圧センサ２３の出力に基づいて検出する。
【００６８】
この後、ステップＳ４において、ＷＧＶ２７が全閉状態になったか否かを判定する。ここでは、前記ステップＳ３で取得した過給圧の推定値と実測値との差が所定の許容範囲内であるか否かを調べる。ちなみに、前記推定値と実測値との差がゼロまたは所定の許容範囲内であればりＷＧＶ２７が正常に動作しているものと判断できる一方、前記所定の許容範囲外であればＷＧＶ２７が正常に動作していない（異常である）と判断できる。
【００６９】
ここで、ＷＧＶ２７が全閉状態になっていないと判定した場合つまりＷＧＶ２７の動作が異常であると判定した場合には前記ステップＳ４で否定判定して、ステップＳ５に移行する。一方、ＷＧＶ２７が全閉状態になっていると判定した場合つまり正常であると判定した場合には前記ステップＳ４で肯定判定して、ステップＳ６に移行する。
【００７０】
先に、前記ステップＳ５では、制御装置１００のバックアップＲＡＭ１０４にＷＧＶ２７の動作が異常であることを記憶し、その後、このフローチャートを終了する。
【００７１】
次に、前記ステップＳ６では、ＷＧＶ２７の動作異常の有無を判定する。ここでは、制御装置１００のバックアップＲＡＭ１０４の異常履歴にＷＧＶ２７の動作が異常であるという記録が存在するか否かを調べる。
【００７２】
ここで、ＷＧＶ２７の動作異常が有ったと判定した場合には前記ステップＳ６で肯定判定して、このフローチャートを終了する。一方、ＷＧＶ２７の動作異常が無いと判定した場合には前記ステップＳ６で否定判定して、続くステップＳ７に移行する。
【００７３】
このステップＳ７では、気筒間空燃比ばらつき異常の有無判定を行う条件が成立したか否かを判定する。この条件としては、下記３点としている。
【００７４】
（１）空燃比センサ（触媒前センサ３３）が活性化していること。
【００７５】
（２）内燃機関１が定常運転であること。
【００７６】
（３）内燃機関１の運転状態が高負荷領域または低回転領域であること。
【００７７】
なお、前記高負荷領域は、内燃機関１の各気筒の排出ガス量が多くなって気筒間空燃比ばらつき異常の影響が触媒前センサ３３の出力波形に現れやすくなる運転領域である。前記低回転領域は、各気筒の排出ガスの排出間隔が広がって気筒間空燃比ばらつき異常の影響が触媒前センサ３３の出力波形に現れやすくなる運転領域である。
【００７８】
ここで、前記３つの条件がすべて成立していない場合には前記ステップＳ７で否定判定して、このフローチャートを終了する。一方、前記３つの条件がすべて成立した場合には前記ステップＳ７で肯定判定して、下記するステップＳ８，Ｓ９において、気筒間空燃比ばらつき異常の有無を判定する。
【００７９】
この異常判定の詳細は、上記「気筒間空燃比ばらつき異常の検出形態」で説明しているように、まず、ステップＳ８において、触媒前センサ３３の出力に基づいて実際の空燃比変動を所定サイクルについて算出し、この空燃比変動度合い（差ΔＡ／Ｆnの平均値の絶対値）を算出する。この後、ステップＳ９において、気筒間空燃比ばらつき異常の有無を判定する。ここでは、前記ステップＳ８で算出した空燃比変動度合いが所定の異常判定値以上であるか否かを調べる。
【００８０】
ここで、前記空燃比変動度合いが前記異常判定値未満である場合には前記ステップＳ９で正常であると判定して、このフローチャートを終了する。一方、前記空燃比変動度合いが前記異常判定値以上である場合には前記ステップＳ９で異常であると判定して、続くステップＳ１０に移行する。
【００８１】
このステップＳ１０では、制御装置１００のバックアップＲＡＭ１０４に気筒間空燃比ばらつきが異常であることを記憶し、その後、このフローチャートを終了する。
【００８２】
ところで、例えば整備作業者が制御装置１００のダイアグノーシス機能などを利用して前記したバックアップＲＡＭ１０４に記憶している異常履歴を読み出すことにより、内燃機関１の運転状況を把握して後々の整備に役立たせるようにすることが可能である。
【００８３】
以上説明したように本発明を適用した実施形態では、ＷＧＶ２７の動作が正常である場合にＷＧＶ２７を閉状態にして気筒間空燃比ばらつきの異常を調べるようにしているから、仮に気筒間空燃比ばらつきが異常であると判定すると、当該異常の原因がＷＧＶ２７の動作異常ではないことが明らかになる。これにより、ＷＧＶ２７の動作異常と、気筒間空燃比ばらつき異常とを区別して調べることが可能になる。
【産業上の利用可能性】
【００８４】
本発明は、過給機が搭載されるとともに前記過給機のタービンをバイパスするウェイストゲート通路にウェイストゲートバルブが設けられる多気筒型内燃機関の異常検出装置に好適に利用することが可能である。
【符号の説明】
【００８５】
１      内燃機関
３      燃焼室
５      エアフローメータ
６      排気管
１２      インジェクタ
１３      吸気管
１４      排気マニホールド
２３      過給圧センサ
２６      ウェイストゲート通路
２７      ウェイストゲートバルブ（ＷＧＶ）
３１      上流触媒
３３      触媒前センサ（空燃比センサ）
３４      触媒後センサ
１００      制御装置（ＥＣＵ）
【図１】
2014181650.tif 000003
【図２】
2014181650.tif 000004
【図３】
2014181650.tif 000005
【図４】
2014181650.tif 000006
【図５】
2014181650.tif 000007
【図６】
2014181650.tif 000008